(57)【特許請求の範囲】
【請求項１】
便鉢を有する便器本体と、
前記便器本体上に配置される着座部を有する便座と、
前記着座部の外周部から垂下するように設けられ、前記便器本体を少なくとも前側及び横側から覆うカバー体と、を備え、
前記カバー体は、前記便器本体を前後左右から囲んで覆い、
前記便座は、前記便器本体に対して回動可能に連結され、
前記カバー体は、前記便座と別体に設けられるとともに前記便器本体を前後左右から覆うカバー部を有し、
前記便座が回動するときに前記カバー部と前記便座との干渉を避けるための隙間が前記カバー部と前記便座の間に設けられることを特徴とする便器装置。
【請求項２】
前記便器本体に対して前記便座を回動可能に連結するヒンジ機構を更に備え、
前記ヒンジ機構は、前記着座部が前記便器本体上に載置されるとき、前記着座部により隠蔽されることを特徴とする請求項１に記載の便器装置。
【発明の詳細な説明】
【技術分野】
【０００１】
本発明は、便器装置及び便座に関する。
【背景技術】
【０００２】
洋式便器は、通常、便鉢を有する便器本体と、便器本体に取り付けられる便座とを備える。この種の便器では、便鉢への放尿時に尿等の汚水が飛び散り、便器本体と便座の間の隙間を通して汚水が流出し、便器本体上を汚水が伝わることにより便器本体の前面部が汚れる場合がある。洋式便器を用いるユーザは、通常、ズボン等の衣類を足首側に下ろして便座に座るが、便器本体の前面部が汚れていると、衣類や脚部との接触により衣類等が汚れてしまう。
【０００３】
この対策として、特許文献１では、便器本体の前面上端部を覆う被覆部を設けた便座が提案されている。この便座では、便器本体の前側において、便器本体と便座との隙間を被覆部により覆うように構成している。便器本体の前面上端部への衣類等の接触が被覆部により抑えられ、衣類等の汚れを防止している。
【先行技術文献】
【特許文献】
【０００４】
【特許文献１】実登３０３８２９４号
【発明の概要】
【発明が解決しようとする課題】
【０００５】
特許文献１の便座では、被覆部による被覆範囲が便器本体の前面上端部のみと限定的であり、汚水による汚れを更に効果的に抑えるうえでは、さらなる改善の余地があった。
【０００６】
本発明は、このような課題に鑑みてなされ、その目的は、尿等の汚水による衣類等の汚れを効果的に抑えられる便器装置及び便座を提供することにある。
【課題を解決するための手段】
【０００７】
上述の課題を解決するために、本発明のある態様の便器装置は、便鉢を有する便器本体と、便器本体上に配置される着座部を有する便座と、着座部の外周部から垂下するように設けられ、便器本体を前側及び横側から覆うカバー体と、を備える。
この態様によると、便器本体と着座部の間から汚水が流出した場合、広い範囲での汚水の飛散がカバー体により遮られる。よって、汚水による衣類等の汚れを効果的に抑えられる。
【０００８】
カバー体は、便器本体を前後左右から囲んで覆ってもよい。
この態様によると、便器本体と着座部の間から汚水が流出した場合、便器本体から離れた箇所にあるトイレ室の側壁面や床面までの汚水の飛散が遮られ、その汚水により汚れる範囲をカバー体の内側にとどめることができる。
【０００９】
カバー体は、分離して設けられる複数のカバー部により構成されてもよい。
この態様によると、たとえば、便座とともに一のカバー部が一体に移動しても、そのカバー部が便器本体と干渉し難くなり、便座を開閉させ易くなる。
【００１０】
複数のカバー部の境目は、便器本体を正面視したときに、何れかのカバー部により隠れる位置に形成されてもよい。
この態様によると、トイレ室への入室時は、通常、便器装置を前方から見るが、そのときに各カバー部の境目が隠れるため、すっきりとした印象を与えられる。
【００１１】
便座は、便器本体に対して回動可能に連結され、複数のカバー部は、便座と一体に移動可能に設けられる第１カバー部と、便座と別体に設けられる第２カバー部と、を有し、第２カバー部は、便器本体に対して位置調整可能に固定されてもよい。
この態様によると、便器装置の施工時や施工後において、第１カバー部と第２カバー部の対向端部を位置合わせし易くなる。よって、各対向端部が三次元的に複雑な形状でも、これらの見栄えがよくなるように調整し易くなる。
【００１２】
便器本体に対して便座を回動可能に連結するヒンジ機構を更に備え、ヒンジ機構は、着座部が便器本体上に載置されるとき、着座部により隠蔽されてもよい。
この態様によると、ヒンジ機構を構成する部品間の隙間にホコリ、汚れ等の異物が溜まり難くなり、清掃時の作業性が良好になる。
【００１３】
カバー体は、着座部と一体に設けられるカバー部を有してもよい。
【００１４】
本発明の別の態様は便座である。便座は、便鉢を有する便器本体上に配置される着座部と、着座部の外周部から垂下するように設けられ、便器本体を前側及び横側から覆うカバー部と、を備える。
この態様によると、便器本体と着座部の間から汚水が流出した場合、広い範囲での汚水の飛散がカバー体により遮られる。よって、汚水による衣類等の汚れを効果的に抑えられる。
【発明の効果】
【００１５】
本発明によれば、汚水による衣類等の汚れを効果的に抑えられる。
【図面の簡単な説明】
【００１６】
【図１】第１実施形態に係る便器装置を示す斜視図である。
【図２】第１実施形態に係る便器装置を示す他の斜視図である。
【図３】図３（ａ）は第１実施形態に係る便器装置の外観を示す側面図であり、図３（ｂ）はその側面断面図である。
【図４】第１実施形態に係る便器装置の外観を示す平面図である。
【図５】図５（ａ）は第１実施形態に係る便器装置の外観を示す正面図であり、図５（ｂ）はその正面断面図である。
【図６】第１実施形態に係る便器装置の外観を示す背面図である。
【図７】図７（ａ）は第１実施形態に係る便器本体への取付用部材の固定状態を示す平面断面図であり、図７（ｂ）は図３（ｂ）のＡ−Ａ線断面図である。
【図８】第１実施形態に係る便座が開位置にある状態を示す側面断面図である。
【図９】第２実施形態に係る便器装置の側面断面図である。
【図１０】第２実施形態に係る便器装置の正面断面図である。
【図１１】図１１（ａ）は第３実施形態に係る便器装置の外観を示す側面図であり、図１１（ｂ）はその側面断面図である。
【図１２】第３実施形態に係る便座が開位置にある状態を示す側面断面図である。
【発明を実施するための形態】
【００１７】
以下、各実施形態では、同一の構成要素に同一の符号を付し、重複する説明を省略する。また、各図面では、説明を簡単にするため、構成要素の一部を適宜省略して示す。
【００１８】
［第１の実施の形態］
図１、図２は第１実施形態に係る便器装置１０を示す斜視図である。図１では便座１４が後述する閉位置にあり、図２では開位置にある。図２では後述する取付用部材３８やヒンジ機構４０を省略する。便器装置１０は、水洗式大便器であり、便器本体１２と、便座１４を備える。
【００１９】
便器本体１２はセラミックを素材とする成形品であるが、樹脂等を素材としてもよい。便器本体１２は、図２に示すように、便鉢１６を有し、便鉢１６の上部には開口１８が形成される。便器本体１２には、便鉢１６の開口１８周りの上端周縁部に上面部２２が形成される。上面部２２は、環状に連なる環状部２４と、環状部２４から後方に延出する延出部２６とにより構成される。上面部２２の上面は平坦に形成される。便器本体１２には、上面部２２の外周部から下方に延びる周壁部２８が形成され、周壁部２８により便鉢１６が前後左右から囲んで覆われる。
【００２０】
便器本体１２の下端部にはベース部３０が設けられる。ベース部３０は、平面視にて前後に細長の円形状に形成され、便器本体１２と別体の板材により構成される。板材の素材は樹脂であるが、金属、セラミックス等でもよい。ベース部３０は床面上に載せられ、ねじ等の固定具（図示せず）により床面に固定される。便器本体１２はベース部３０上に載せられる。便器本体１２の両横側の下端部には据付部３４が設けられる。据付部３４はねじ等の第１固定具３６によりベース部３０に据え付けられ、便器本体１２がベース部３０に固定される。
【００２１】
図３（ａ）は便器装置１０の外観を示す側面図であり、図３（ｂ）は側面断面図である。
便器本体１２の上面部２２には、便座１４を便器本体１２に取り付けるための取付用部材３８が固定される。取付用部材３８にはヒンジ機構４０が設置され、便座１４はヒンジ機構４０を介して便器本体１２に取り付けられる。取付用部材３８とヒンジ機構４０の詳細は後述する。
【００２２】
図４は便器装置１０の外観を示す平面図である。本図では取付用部材３８やヒンジ機構４０を省略する。
便座１４は、図３、図４に示すように、便器本体１２上に配置される着座部４２と、便器本体１２を外側から覆う前カバー部４４と、を有する。着座部４２は、上面部２２の上面全体を覆うように環状に設けられ、その中央に開口４６が形成される。着座部４２の上面にはユーザが座るための座面４８が設けられ、着座部４２の内部には周方向に沿って空洞部５０が設けられる。ユーザは自らの背中側を便器本体１２の後側に向けて座面４８に座る。着座部４２の下面部には開口４６周りに間隔を空けて脚部５２が下方に突き出る。便座１４は、便器本体１２の上面部２２上に脚部５２が接触した状態で便器本体１２上に支持される。
【００２３】
図５（ａ）は便器装置１０の外観を示す正面図であり、図５（ｂ）は正面断面図である。
前カバー部４４は、図３、図５に示すように、着座部４２と一体に設けられ、着座部４２の外周部、より詳細には、着座部４２の前端部４２Ａ（図３（ｂ）参照）、左右両横側の側端部４２Ｂから垂下するように設けられる。前カバー部４４は、便器本体１２の前側、左右両横側に配置される。
【００２４】
図６は便器装置１０の外観を示す背面図である。
便器本体１２の後側には、図３、図６に示すように、後カバー部５６が配置される。後カバー部５６は、着座部４２の外周部である後端部４２Ｃ（図３（ｂ）参照）から垂下するように設けられる。前カバー部４４と後カバー部５６は分離して設けられ、後カバー部５６は便座１４と別体に設けられる。
【００２５】
前カバー部４４を含む便座１４と後カバー部５６は、図３（ｂ）、図５（ｂ）に示すように、便器本体１２の前後左右において、上端から下端までの範囲で外側に膨らみ出るように、全体として湾曲して形成される。このとき、着座部４２と前カバー部４４を含む便座１４は、便器本体１２の前側、左右両横側において、上端から下端までの範囲で外側に膨らみ出るように湾曲して形成されることになる。
【００２６】
前カバー部４４と後カバー部５６は、便器本体１２を前側、左右両横側、後側から覆う。詳細には、前カバー部４４は、図５（ａ）に示すように、便器本体１２の左右全幅の範囲を便器本体１２の前側から覆う。また、前カバー部４４は、図３（ａ）に示すように、便器本体１２の前端部１２Ａから後部にかけての範囲を便器本体１２の左右両横側から覆う。後カバー部５６は、図６に示すように、便器本体１２を後側から覆う。前カバー部４４と後カバー部５６は、便器本体１２の全周に亘る範囲を前後左右から囲んで覆うことになる。このとき、前カバー部４４は便器本体１２の少なくとも半周に亘る範囲を覆い、後カバー部５６は前カバー部４４により覆われていない範囲を覆う。ここでの「少なくとも半周に亘る範囲」とは、図４に示すように、便器本体１２を平面視したときに、便器本体１２の開口１８の中心点Ｐ１を開口中心点Ｐ１とすると、開口中心点Ｐ１を中心として便器本体１２の外側に描かれる円での半周以上に亘る範囲をいう。
【００２７】
前カバー部４４と後カバー部５６は、図３（ｂ）に示すように、便器本体１２の上端部１２Ｂから床面６０近傍にかけての範囲を覆う。前カバー部４４と後カバー部５６は、便器本体１２の上端部１２Ｂから下部１２Ｃにかけての範囲を少なくとも覆うことになる。ここでの「下部１２Ｃ」とは、便器本体１２の高さ方向の中央位置から下側の部位のことをいう。また、ここでの床面６０「近傍」とは、便器本体１２の上端から床面６０までの高さ寸法をＨ０［ｍ］としたとき、便器本体１２の上端から少なくとも０．９×Ｈ０の範囲を覆う趣旨である。
【００２８】
前カバー部４４は、着座部４２と便器本体１２の上面部２２の間に間隔を空けて形成される境界部６４を外側から覆う。詳細には、前カバー部４４は、便器本体１２に対して前側、左右両横側、後側から境界部６４を覆う。このとき、前カバー部４４は、便器本体１２に対して前側、左右両横側、後側から各脚部５２を覆うことにもなる。これにより、脚部５２は便器本体１２の外観において露出せずに視認できなくなる。
【００２９】
前カバー部４４の下端部４４Ａは、図２、図３（ａ）、図６に示すように、その左右一方の端縁部である左端縁部７０が便器本体１２の左側に配置され、その左右他方の端縁部である右端縁部７２が便器本体１２の右側に配置される。この前カバー部４４の下端部４４Ａは、便器本体１２の左側から前側を経由して右側に延在するように湾曲して形成される。また、後カバー部５６の下端部５６Ａは、その左右一方の端縁部である左端縁部７４が便器本体１２の左側に配置されるとともに、前カバー部４４の左端縁部７０と対向して配置される。また、後カバー部５６の下端部５６Ａは、その左右他方の端縁部である右端縁部７６が便器本体１２の右側に配置されるとともに、前カバー部４４の右端縁部７２と対向して配置される。この後カバー部５６の下端部は、便器本体１２の左側から後側を経由して右側に延在するように湾曲して形成される。
【００３０】
前カバー部４４と後カバー部５６は、便器本体１２とともにベース部３０を前側、左右両横側、後側から覆う。これらがベース部３０を覆う範囲は、便器本体１２を覆う範囲と同様である。つまり、前カバー部４４は便器本体１２に対して前側、左右両横側からベース部３０を覆い、後カバー部５６は便器本体１２に対して後側からベース部３０を覆う。前カバー部４４の下端部４４Ａと後カバー部５６の下端部５６Ａは、ベース部３０の外周部に沿う形状を有する。前カバー部４４の下端部４４Ａは床面６０から若干の隙間６６を空けて配置される。この隙間６６は、施工誤差や製造誤差等の寸法誤差を吸収できる大きさに定められる。
【００３１】
前カバー部４４と後カバー部５６は、図６に示すように、互いに対向する対向端部６８Ａ、６８Ｂを有する。前カバー部４４の対向端部６８Ａは、前カバー部４４の下端部４４Ａの左端縁部７０から便器本体１２の後方を経由して前カバー部４４の下端部４４Ａの右端縁部７２に連なるように設けられる。後カバー部５６の対向端部６８Ｂは、後カバー部５６の下端部５６Ａの左端縁部７４から便器本体１２の後方を経由して後カバー部５６の下端部５６Ａの右端縁部７６に連なるように設けられる。前カバー部４４と後カバー部５６は、各対向端部６８Ａ、６８Ｂを跨ぐ箇所において、それぞれの外面、内面が面一となるように設けられる。なお、後カバー部５６の対向端部６８Ｂの上端位置には給水管用の管穴７８が形成され、給水管は便器本体１２の後部に形成される接続口８０に接続される。
【００３２】
各対向端部６８Ａ、６８Ｂは、一方の対向端部６８Ａの長手方向に沿って他方の対向端部６８Ｂが延びるように設けられる。つまり、各対向端部６８Ａ、６８Ｂは、それらの輪郭線が三次元的に揃うように設けられる。各対向端部６８Ａ、６８Ｂの輪郭線は角部のない滑らかな線状に形成される。各対向端部６８Ａ、６８Ｂの間に形成される前カバー部４４と後カバー部５６の境目６９は、図５に示すように、便器本体１２を正面視したときに、前カバー部４４により隠れる位置に形成される。トイレ室への入室時は、通常、便器装置１０を前方から見るが、そのときに境目６９が隠れるため、すっきりとした印象を与えられる。なお、ここでの「正面視」とは、便器本体１２の前面と向かい合う視点からみることをいう。本形態では、図４に示すように、便器本体１２の開口中心点Ｐ１と前端１２Ｄを通る仮想線をＬ１としたとき、便器本体１２の前方において仮想線Ｌ１が通る位置から便器本体１２をみることをいう。
【００３３】
前カバー部４４は、図３（ｂ）に示すように、便器本体１２の前側において、下方に向かうにつれて便器本体１２に近づくように傾斜して形成される。これにより、前カバー部４４の下方に足引きスペース８２が形成される。足引きスペース８２にはユーザの脚部を入れられ、ユーザによっては着座姿勢のときに自然な体勢にし易くなるうえ、着座姿勢から立位姿勢に立ち上がり易くなる。
【００３４】
前カバー部４４の下端部４４Ａは、便器本体１２の前側において、便器本体１２の前端部１２Ａより下側後方にずれた位置まで延びるように形成される。これにより、便器本体１２の前端部１２Ａから汚水が垂れ落ちたとき、その床面６０への直接の落下が前カバー部４４により防止され、汚水の床面６０との衝突に伴う前カバー部４４外への汚水の飛び散りを抑えられる。
【００３５】
後カバー部５６は、図２に示すように、その下端部から前方に突き出るつば部８４が形成される。つば部８４はベース部３０の外周部上に載せられ、ねじ等の第２固定具８６により固定される。
【００３６】
図７（ａ）は便器本体１２への取付用部材３８の固定状態を示す平面断面図であり、図７（ｂ）は図３（ｂ）のＡ−Ａ線断面図である。
取付用部材３８は、前述のとおり、便座１４を便器本体１２に取り付けるためのものであり、便器本体１２の上面部２２上に載置される載置部８８と、載置部８８から後方に突き出る突出部９０とを有する。これらは金属板等の板材により一体に構成される。取付用部材３８はねじ等の第３固定具９４により上面部２２に固定される。
【００３７】
突出部９０は、便器本体１２の上面部２２から後方にはみ出すように設けられる。突出部９０は、上面部２２の後端部２２Ａより横幅が小さい基端側部分９０Ａと、基端側部分９０Ａより更に横幅が小さい先端側部分９０Ｂとを有する。基端側部分９０Ａの左右両横側の下部には、図３（ｂ）、図７に示すように、後カバー部５６を取り付けるためのカバー取付部９６が設けられる。後カバー部５６の上部の内面には前方に突き出るカバー固定部９８が設けられる。カバー取付部９６にはカバー固定部９８が左右に重ね合わされ、カバー固定部９８はカバー取付部９６にねじ等の第４固定具１００により固定される。
【００３８】
ここで、第２固定具８６は、つば部８４に形成される挿通孔（図示せず）に挿通され、ベース部３０の外周部に形成されるねじ孔（図示せず）に螺合される。第４固定具１００は、カバー固定部９８に形成される挿通孔（図示せず）に挿通され、カバー取付部９６に形成されるねじ孔（図示せず）に螺合される。後カバー部５６は、各挿通孔に挿通される第２固定具８６、第４固定具１００のねじ孔への締め付けにより便器本体１２に対して固定される。各挿通孔は各固定具８６、１００の軸部との間で隙間が空くように形成され、後カバー部５６は各固定具８６、１００を用いた摩擦接合により固定される。よって、各固定具８６、１００の締め付けを緩めたとき、その隙間分だけ便器本体１２に対して後カバー部５６を位置調整できる。つまり、後カバー部５６は便器本体１２に対して位置調整可能に固定される。
【００３９】
ヒンジ機構４０は、図３（ｂ）、図７（ａ）に示すように、便器本体１２に設けられる便器側ヒンジ部１０２と、便座１４に設けられる便座側ヒンジ部１０４と、便器側ヒンジ部１０２と便座側ヒンジ部１０４を連結するヒンジ軸１０６とを備える。便器側ヒンジ部１０２は、取付用部材３８の先端側部分９０Ｂの両側部に取り付けられる。便座側ヒンジ部１０４は、便器側ヒンジ部１０２の両横側に配置され、着座部４２の後内面に取り付けられる。便器側ヒンジ部１０２は、ヒンジ軸１０６が回転不能に保持され、便座側ヒンジ部１０４は、その内側に挿通されるヒンジ軸１０６が回転自在に保持される。以上のヒンジ機構４０では、便器本体１２に対して便座１４がヒンジ軸１０６周りに回動可能に連結される。
【００４０】
ヒンジ軸１０６は、取付用部材３８の突出部９０と同様、便器本体１２の上面部２２から後方にはみ出す位置に配置される。かりに、上面部２２上にヒンジ軸１０６が配置される場合、便座１４が上面部２２の上面全体を覆うため、ヒンジ軸１０６周りに便座１４が回動したとき、ヒンジ軸１０６より後方で便座１４が便器本体１２に干渉し易くなり、便座１４の回動動作の妨げとなる。この点、本形態ではヒンジ軸１０６が便器本体１２の上面部２２から後方にはみ出す位置に配置されるため、ヒンジ軸１０６周りに便座１４が回動したときでも、便座１４と便器本体１２の干渉を抑え易くなる。
【００４１】
なお、ヒンジ機構４０は、図示しないが、位置保持機構を有する。位置保持機構はフリーストップヒンジ構造である。フリーストップヒンジ構造は、便座１４が開位置から閉位置に回転する方向を正方向としたとき、ばね等の付勢部材により正方向と逆方向に付勢する。便座１４を開位置の任意の位置で停止させたとき、便座１４には自重により正方向に回転力が作用する。このとき、フリーストップヒンジ構造は、自重による回転力に抗して、付勢部材の付勢力により便座１４を停止させた状態に保持する。フリーストップヒンジ構造は、公知のため、その詳細は省略する。
【００４２】
図８は、便座１４が開位置にある状態を示す側面断面図である。
便座１４は、図３（ｂ）、図８に示すように、便器本体１２上に着座部４２が載置される閉位置（第１位置）と、閉位置から退避する開位置（第２位置）との間を移動可能である。前カバー部４４は、便座１４と一体に移動可能に設けられ、閉位置にあるときに便器本体１２を前側、左右両横側から覆い、開位置にあるときに便器本体１２を露出させる。なお、後カバー部５６は、便座１４と別体に設けられる。
【００４３】
ベース部３０の前端部３０Ａは、便座１４が閉位置にあるとき、前カバー部４４の下端部４４Ａの内周面との係合により、前カバー部４４を含む便座１４の位置を決める位置決め部１０８となる。ここで、位置決め部１０８は、便器本体１２の前方に突き出るように円弧状に形成され、前カバー部４４の下端部４４Ａは、その位置決め部１０８に対向する部分が位置決め部１０８に沿うように形成される。よって、前カバー部４４の下端部４４Ａは位置決め部１０８に前方から係合可能であるとともに、位置決め部１０８に左右両側から係合可能に設けられる。これにより、前カバー部４４の下端部４４Ａが位置決め部１０８に前方から係合されることにより、前カバー部４４の前後方向の位置が決められ、位置決め部１０８に左右から係合されることにより、前カバー部４４の左右方向の位置が決められる。
【００４４】
前カバー部４４の下端部４４Ａの内周面には緩衝材１１０が装着される。緩衝材１１０はゴム等の弾性を有する軟質材料により構成される。緩衝材１１０は、便座１４が閉位置にあるとき、ベース部３０の位置決め部１０８と対向する箇所に装着される。便座１４が開位置から閉位置に移動したとき、前カバー部４４が緩衝材１１０を間に挟んで位置決め部１０８と係合し、緩衝材１１０は、その衝突による衝撃を緩和する。
【００４５】
着座部４２の後部の内側には、着座部４２が閉位置にあるとき、ヒンジ機構４０を収容する収容空間１１２が設けられる。ヒンジ機構４０は、着座部４２が閉位置にあるとき、着座部４２により前後左右及び上側から隠蔽され、便器装置１０の外観において露出せずに視認できなくなる。
【００４６】
次に、便器装置１０の施工方法の一例を説明する。
まず、便器本体１２をトイレ室内に設置する（Ｓ１０）。便器本体１２の下端部にはベース部３０が予め設けられる。便器本体１２は、トイレ室の床面６０上にベース部３０を載置させたうえで、固定具によりベース部３０が床面６０に固定される。
【００４７】
便器本体１２にヒンジ機構４０を介して便座１４を取り付ける（Ｓ１２）。これにより、便器本体１２に対する前カバー部４４の対向端部６８Ａの位置が定まる。そして、後カバー部５６を便器本体１２に対して固定する（Ｓ１４）。後カバー部５６は、便器本体１２に対して第２固定具８６、第４固定具１００の締め付けを緩めた状態で予め仮固定しておく。そして、前カバー部４４の対向端部６８Ａに対して後カバー部５６の対向端部６８Ｂの位置を合わせるように後カバー部５６を位置調整したうえで、第２固定具８６、第４固定具１００を締め付けて後カバー部５６を固定する。前カバー部４４と後カバー部５６の対向端部６８Ａ、６８Ｂは、それらの輪郭線が三次元的に揃うように位置を合わせる。
【００４８】
このように、後カバー部５６は、便器本体１２に対して位置調整可能に固定されるため、便器装置１０の施工時や施工後において、前カバー部４４の対向端部６８Ａと後カバー部５６の対向端部６８Ｂを位置合せし易くなる。よって、各対向端部６８Ａ、６８Ｂが三次元的に複雑な形状でも、これらの見栄えがよくなるように調整し易くなる。
【００４９】
以上の便器装置１０の作用効果を説明する。
便鉢１６に放尿して尿等の汚水が飛び散ると、便器本体１２と着座部４２の間の境界部６４から外側に水滴状又は霧状の汚水が流出する場合がある。本形態では着座部４２の外周部から垂下するように前カバー部４４や後カバー部５６が設けられるため、便器本体１２と着座部４２の間から汚水が流出した場合、その汚水の飛散が前カバー部４４や後カバー部５６により遮られる。
【００５０】
また、前カバー部４４は、便器本体１２を前側及び横側から覆うため、便器本体１２の開口中心点Ｐ１周りの広い範囲での汚水の飛散が前カバー部４４により遮られる。特に、前カバー部４４と後カバー部５６は、便器本体１２を前後左右から囲んで覆うため、非常に広い範囲での汚水の飛散が前カバー部４４及び後カバー部５６により遮られる。よって、汚水による衣類等の汚れを効果的に抑えられる。
【００５１】
また、前カバー部４４と後カバー部５６は、便器本体１２を前後左右から囲んで覆う。よって、便器本体１２と着座部４２の間から汚水が流出した場合、便器本体１２から離れた箇所にあるトイレ室の側壁面や床面６０までの汚水の飛散が遮られ、その汚水により汚れる範囲を前カバー部４４や後カバー部５６の内側にとどめることができる。これにより、清掃時の清掃範囲を前カバー部４４等の内側に集中させて、清掃時の作業性が良好になるうえ、トイレ室全体を衛生的に保ち易くなる。
【００５２】
また、ユーザは、通常、衣類を足首側に下ろして着座部４２に座り、大小便後に衣類を元に戻すが、前カバー部４４の下端位置が高いと、衣類を戻すとき等に前カバー部４４の下端部４４Ａに衣類が引っかかってしまう。この点、本形態に係る前カバー部４４は、便器本体１２の上端部１２Ｂから下部１２Ｃにかけての広い範囲を覆っており、前カバー部４４と床面６０の間の隙間を狭くするように設計している。従って、その隙間にユーザの衣類や脚部が入り込み難くなり、前カバー部４４への衣類等の引っかかりを防止でき、汚水による衣類等の汚れを抑えるうえでの使い勝手が良好になる。
【００５３】
また、便器本体１２と着座部４２の間の境界部６４から流出した汚水が便器本体１２の外面部や前カバー部４４の内面部を伝わり落ちる場合もある。この点、本形態の前カバー部４４は、前カバー部４４と床面６０の間の隙間に衣類等が入り込み難くなるため、便器本体１２の外面部と衣類等の接触を防止できるうえ、前カバー部４４の内面部から垂れ落ちる汚水と衣類等の接触を防止でき、汚水による衣類等の汚れを効果的に抑えられる。
【００５４】
さらに、前カバー部４４は、便器本体１２の上端部１２Ｂから床面６０近傍にかけての広い範囲を覆うため、前カバー部４４と床面６０の間に衣類等を入れるのが困難となり、前カバー部４４への衣類等の引っかかりを更に効果的に防止できる。また、便器本体１２の外面部と衣類等の接触をさらに防止できるうえ、前カバー部４４の内面部から垂れ落ちる汚水と衣類等の接触をさらに防止できる。さらには、前カバー部４４の内側にある床面６０には前カバー部４４の内面部から垂れ落ちる汚水が付着し得る。この点、本形態では、前カバー部４４と床面６０の間に衣類等を入れるのが困難なため、汚水が付着した床面６０と衣類等の接触も防止できる。
【００５５】
また、前カバー部４４は便器本体１２を前側及び左右両横側から覆うため、便器装置１０を前方から見たときに、その外観は便器本体１２ではなく前カバー部４４を含む便座１４により構成される。よって、便器装置１０全体のデザインを設計するうえで、便器本体１２の形状にとらわれずに、前カバー部４４を含む便座１４の形状によりデザイン設計をでき、その自由度が高まる。
【００５６】
また、前カバー部４４には緩衝材１１０が設けられるため、前カバー部４４とベース部３０とが衝突したときの衝撃を緩衝材１１０により吸収できる。また、前カバー部４４は、ベース部３０の位置決め部１０８との係合により閉位置に位置決めされる。ここで、両者が当たるときに音が発生するが、両者が当たるときの衝撃を緩衝材１１０により吸収できるため、その音の大きさを低減できる。
【００５７】
また、前カバー部４４との係合により前カバー部４４の位置を決める位置決め部１０８が設けられるため、前カバー部４４が閉位置にあるときに定位置に保持し易くなる。このため、前カバー部４４が閉位置にあるとき、前カバー部４４の対向端部６８Ａと後カバー部５６の対向端部６８Ｂとの輪郭線を揃え易くなり、各対向端部６８Ａ、６８Ｂが三次元的に複雑な形状でも、これらの見栄えのよい定位置に前カバー部４４を保持し易くなる。なお、位置決め部１０８による位置決めは、たとえば、便器装置１０の施工時に、前カバー部４４の前後左右での位置を調整するために用いられる。また、この他にも、前カバー部４４を含む便座１４を開位置から閉位置に移動させるときにも用いられる。
【００５８】
また、ヒンジ機構４０は便座１４により隠蔽されるため、ヒンジ機構４０を構成する部品間の隙間にホコリ、汚れ等の異物が溜まり難くなり、清掃時の作業性が良好になる。また、ヒンジ機構４０が隠れるため、便器装置１０の外観においてすっきりとした印象を与えられる。
【００５９】
また、前カバー部４４は着座部４２と一体に設けられるため、前カバー部４４とともに着座部４２を閉位置から開位置に移動可能となる。よって、便器本体１２の汚れの清掃時、便座１４全体を閉位置から開位置に移動させるだけで、前カバー部４４による便器本体１２の被覆範囲や上面部２２を露出させることができ、清掃作業時の作業性が良好になる。
【００６０】
［第２の実施の形態］
図９は第２実施形態に係る便器装置１０の側面断面図であり、図１０はその正面断面図である。
便器本体１２は、第１実施形態と同様、便鉢１６を有するが、上面部２２、周壁部２８、ベース部３０は設けられない。便鉢１６は下流側の排水通路部１１４に連通する。排水通路部１１４の下流側端部１１４Ａは、トイレ室の床面６０から引き出される排水管（図示せず）に接続され、排水管を通して下水路に接続される。便鉢１６や排水通路部１１４は便器本体１２の外部に露出する。
【００６１】
便座１４の着座部４２は便器本体１２上に配置され、溶着、接着等により接合して一体化される。このとき、便器本体１２と便座１４の着座部４２の間に形成される境界部６４を開口中心点Ｐ１周りの全周に亘る範囲で塞ぐように接合する。これにより、便器本体１２と便座１４の着座部４２の間を通して前後左右への汚水の流出が遮られるように構成される。
【００６２】
前カバー部４４は、便器本体１２の全周に亘る範囲を前後左右から囲んで覆う。本実施形態にて前カバー部４４が便器本体１２を覆う範囲は、第１実施形態にて前カバー部４４と後カバー部５６が便器本体１２を覆う範囲と同様である。
【００６３】
排水通路部１１４には第１トラップ部１１６が設けられる。第１トラップ部１１６には、排水通路部１１４の通水方向の途中位置から下降する第１上流側下降流路１１８と、第１上流側下降流路１１８から上昇する第１上昇流路１２０と、第１上昇流路１２０から下降する第１下流側下降流路１２２とが連続して形成される。第１トラップ部１１６では、第１上流側下降流路１１８と第１上昇流路１２０との内部に第１封水１２４が貯溜され、排水通路部１１４の通水方向での空気の流れが第１封水１２４により遮断される。
【００６４】
便鉢１６の上端内周部にはオーバーフロー口１２６が形成される。オーバーフロー口１２６と排水通路部１１４の第１下流側下降流路１２２とは迂回通路部１２８により連通される。迂回通路部１２８には第２トラップ部１３０が設けられる。第２トラップ部１３０には、迂回通路部１２８の通水方向の途中位置から下降する第２上流側下降流路１３２と、第２上流側下降流路１３２から上昇する第２上昇流路１３４と、第２上昇流路１３４から下降する第２下流側下降流路１３６とが連続して形成される。第２トラップ部１３０では、第２上流側下降流路１３２と第２上昇流路１３４との内部には第２封水１３８が貯溜され、迂回通路部１２８の通水方向での空気の流れが第２封水１３８により遮断される。
【００６５】
以上の便器装置１０の作用効果を説明する。
本形態に係る便器装置１０では、便器本体１２と着座部４２の間の境界部６４を塞ぐように接合されるため、その境界部６４を通しての汚水の流出が遮られる。ここで、境界部６４での接着不良等により境界部６４から汚水が流出した場合でも、第１実施形態と同様、前カバー部４４によって汚水の飛散が遮られるうえ、便器本体１２の外面部と衣類等との接触を防止できる。よって、汚水による衣類等の汚れを効果的に抑えられる。
【００６６】
また、本形態に係る便器装置１０でも、前カバー部４４と床面６０の間の隙間が狭くなるように設計しているため、その隙間にユーザの衣類等が入り込みにくくなり、前カバー部４４への衣類等の引っかかりを防止でき、使い勝手が良好になる。
【００６７】
排水通路部１１４の詰まりにより汚水が溢れると、便座１４の開口１８を通して流出する汚水によりユーザの臀部が濡れかねない。この点、本形態ではオーバーフロー口１２６が形成されるため、汚水が溢れたときでも迂回通路部１２８を通して汚水を下水路に流せ、汚水の溢れを防止できる。
【００６８】
また、便器本体１２に便座１４が一体化されるため、便座１４を開閉できなくなる。よって、立位姿勢での男性の放尿による便座１４の汚れを防ぐため、着座姿勢での放尿を男性ユーザにうながせるようになり、便器本体１２の汚れを防止できる。
【００６９】
［第３の実施の形態］
図１１（ａ）は第３実施形態に係る便器装置１０の外観を示す側面図であり、図１１（ｂ）は側面断面図であり、図１２は便座１４が開位置にある状態を示す側面断面図である。
第１実施形態では前カバー部４４が便座１４の着座部４２と一体に設けた例を説明した。本実施形態に係る前カバー部４４は、便座１４の着座部４２と分離して別体に構成される。前カバー部４４は、便器本体１２のベース部３０にねじ等の固定具（図示せず）により固定される。前カバー部４４は、便器本体１２の全周に亘る範囲を前後左右から囲んで覆う。
【００７０】
前カバー部４４の上端辺部４４Ｂは、便器本体１２の上面部２２の上面より高位置に設けられる。便座１４は、便器本体１２の上面部２２上に載置される閉位置にあるとき、前カバー部４４との間での隙間がなくなるように、便器本体１２の前側、左右両横側において、前カバー部４４の上端辺部４４Ｂに載せられる。また、前カバー部４４の後部には、便座１４がヒンジ機構４０により開閉するときに、前カバー部４４との干渉を避けるための隙間１４２が設けられる。
【００７１】
なお、便座１４の着座部４２と前カバー部４４との間での隙間をなくすため、前カバー部４４の上端辺部４４Ｂを便器本体１２の上面部２２より高位置に設ける代わりに、便座１４の着座部４２の外周部から垂下する垂下部を設けてもよい。この場合、前カバー部４４の上端辺部４４Ｂは、便器本体１２の上面部２２の上面と同じ高さ又は低位置に設けられる。また、便座１４の垂下部は、便座１４と前カバー部４４との間での隙間がなくなるように、便器本体１２の前側、左右両横側において、前カバー部４４の上端辺部４４Ｂに載せられる。
【００７２】
以上の第１〜第３実施形態に係る発明を一般化すると、便器装置１０は、着座部４２の外周部から垂下するように設けられ、便器本体１２の上端部１２Ｂから下部１２Ｃにかけての範囲を少なくとも覆うカバー体１４０を備えるという技術的思想が導かれる。このカバー体１４０とは、第１実施形態では前カバー部４４と後カバー部５６が対応し、第２実施形態、第３実施形態では前カバー部４４が対応する。第１実施形態では、第１カバー部としての前カバー部４４と第２カバー部としての後カバー部５６によりカバー体１４０が構成される。
【００７３】
また、別の観点からは、便器装置１０は、着座部４２の外周部から垂下するように設けられ、便器本体１２を前側及び横側から覆うカバー体１４０を備えるという技術的思想が導かれる。このカバー体１４０とは、第１実施形態では前カバー部４４と後カバー部５６が対応し、第２実施形態、第３実施形態では前カバー部４４が対応する。
【００７４】
ここで、単一の前カバー部４４により便器本体１２を前後左右から囲んで覆う場合であって、便座１４と一体に前カバー部４４を設ける場合を仮定する。このとき、便座１４とともに前カバー部４４が一体に移動すると、前カバー部４４が便器本体１２と干渉し易くなってしまう。この点、第１実施形態のように、分離して設けられる前カバー部４４と後カバー部５６により便器本体１２を前後左右から囲んで覆う場合、便座１４とともに前カバー部４４が一体に移動しても、前カバー部４４が便器本体１２と干渉し難くなり、便座１４を開閉させ易くなる。
【００７５】
カバー体１４０は、便器本体１２の上端部１２Ｂから床面６０近傍にかけての範囲を覆う例を説明したが、便器本体１２の上端部１２Ｂから下側にかけての範囲を少なくとも部分的に覆えばよい。たとえば、カバー体１４０は、便器本体１２の上部のみを覆ってもよい。また、別の観点からは、前カバー部４４や後カバー部５６は、便器本体１２の上端部１２Ｂから下端部近傍にかけての範囲を覆うように設けると好ましい。ここでの下端部「近傍」とは、便器本体１２の上端から下端までの高さ寸法をＨ１［ｍ］としたとき、便器本体１２の上端から少なくとも０．９×Ｈ１の範囲を覆う趣旨である。
【００７６】
カバー体１４０は、便器本体１２の全周に亘る範囲を前後左右から囲んで覆う例を説明したが、便器本体１２を少なくとも前側及び横側から覆えばよい。このとき、カバー体１４０は、便器本体１２を左右両横側から覆ってもよいし、一方の横側からのみ覆ってもよい。また、便器本体１２を横側から覆ううえでは、便器本体１２の前端部１２Ａから後部にかけての範囲を横側から覆ってもよいし、便器本体１２の前部のみを横側から覆ってもよい。
【００７７】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００７８】
便器装置１０は、トイレ室の床面６０上に便器本体１２が設置される床置き式大便器として構成される例を説明したが、トイレ室の側壁面に設置される壁置き式大便器として構成されてもよい。
【００７９】
位置決め部１０８は、便器本体１２の下端部に設けられたベース部３０の前端部３０Ａである例を説明した。位置決め部１０８は、カバー体が閉位置にあるときに、カバー体と係合することにより、カバー体の位置を決められればよく、その設けられる位置はベース部３０の前端部３０Ａに限られない。また、位置決め部１０８は、便器本体１２の一部であってもよいし、便器本体１２とは別部材でもよい。
【００８０】
緩衝材１１０は、前カバー部４４の下端部４４Ａの内周面に装着される例を説明した。緩衝材１１０は、カバー体が変位して、カバー体の下側又は内側に配置される物体とカバー体とが衝突するときに、そのカバー体と物体の間に挟まる位置に装着されていればよい。ここでの物体とは、第１実施形態では、前カバー部４４の内側に配置される便器本体１２のベース部３０が該当するが、この他にも、便器本体１２のベース部３０以外の部位や、前カバー部４４の下側に配置されるトイレ室の床面６０等でもよい。また、緩衝材１１０の装着位置は前カバー部４４である例を説明したが、前カバー部４４と衝突し得る物体であるベース部３０、便器本体１２、床面６０等に装着されてもよい。
【００８１】
ヒンジ機構４０は、着座部４２が閉位置にあるとき、着座部４２により隠蔽される例を説明したが、閉位置にあるときに露出するように構成されてもよい。また、ヒンジ機構４０は、便器本体１２の上面部２２の延出部２６、つまり、便器本体１２の後方に設置される例を説明したが、便器本体１２の側方、前方に設置されてもよい。
【００８２】
ヒンジ機構４０が有する位置保持機構はフリーストップヒンジ構造を例に説明したが、位置保持機構はこれに限られない。この他の例として、位置保持機構は、便器側ヒンジ部１０２と便座側ヒンジ部１０４の角度を保持可能なロック機構でもよい。このロック機構では、押しボタン等の操作部の操作により、角度を保持するロック状態と、ロック状態を解除する解除状態とを切り替え可能である。
【００８３】
また、ヒンジ機構４０は位置保持機構を含んだが、位置保持機構はヒンジ機構４０と別体に設けられてもよい。この場合、位置保持機構は、たとえば、ストッパにより構成されてもよい。ストッパは、押しボタン等の操作部の操作により係合位置と退避位置の間を移動可能である。ストッパは、係合位置にあるとき、便座１４と係合して便座１４の自重による回転力に抗して便座１４を開位置に保持する。また、ストッパは、退避位置にあるとき便座１４と係合不能となり、便座１４が開位置と閉位置との間を移動自在となる。いずれにしても、位置保持機構は、便座１４の自重による回転力に抗して便座１４を開位置に停止させた状態で保持できればよい。
【００８４】
また、ヒンジ機構４０は位置保持機構の代わりに、便座１４の開位置から閉位置に向けての回動動作に対して制動力を与えるスローダウン機構を含んでもよい。スローダウン機構は、たとえば、公知のロータリーダンパやトルクヒンジ等により構成される。ロータリーダンパは、ヒンジ軸１０６に対してオイル等による粘性抵抗を作用させて制動力を与える。トルクヒンジは、ヒンジ軸１０６に対してバネ等によるトルクを作用させて制動力を与える。便座１４の着座部４２が前カバー部４４と一体に設けられる場合、その全重量が比較的に重くなり、開位置から閉位置に移動するときの速度が高まり易くなる。この点、スローダウン機構があれば、開位置から閉位置にゆっくりと降ろせ、閉位置に止まるときの衝撃や音を小さくできる。
【００８５】
便器装置１０は、後カバー部５６に給水管用の管穴７８が形成される例を説明した。排水管や給水管がトイレ室の側壁面から引き出される場合、給水管用の管穴７８の他に、排水管用の管穴を設けてもよい。各管の両方が床面から引き出される場合、後カバー部５６に管穴７８を設けなくともよい。
【００８６】
後カバー部５６は、第２固定具８６、第４固定具１００の締め付けの調整により便器本体１２に対して位置調整可能に固定される例を説明した。後カバー部５６は、この他にも、面ファスナー、嵌め合い等を用いて便器本体１２に対して位置調整可能に固定されてよい。ここで面ファスナーを用いた場合、面ファスナーが固定具であるともとらえられる。
【００８７】
前カバー部４４と後カバー部５６の境目６９を形成する対向端部６８Ａ、６８Ｂは、それらの輪郭線が三次元的に揃うように設けられたが、揃えられていなくともよい。また、便器本体１２の下端部に設けられるベース部３０は便器本体１２と別体に構成される例を説明したが、これらは一体に構成されてもよい。
【符号の説明】
【００８８】
１０…便器装置、１２…便器本体、１４…便座、１６…便鉢、４０…ヒンジ機構、４２…着座部、６０…床面、６９…境目、１０８…位置決め部、１１０…緩衝材、１４０…カバー体。
【図１】
0006422265.tif 000002
【図２】
0006422265.tif 000003
【図３】
0006422265.tif 000004
【図４】
0006422265.tif 000005
【図５】
0006422265.tif 000006
【図６】
0006422265.tif 000007
【図７】
0006422265.tif 000008
【図８】
0006422265.tif 000009
【図９】
0006422265.tif 000010
【図１０】
0006422265.tif 000011
【図１１】
0006422265.tif 000012
【図１２】
0006422265.tif 000013